(57)【特許請求の範囲】
【請求項１】
発電機（３）を搭載する台車（１）に伸縮支柱（２）を立設すると共に、該伸縮支柱の上端に照明器具（４）を装備してなり、
前記照明器具が、バルーン（５）と、該バルーン内に空気を送ってバルーンを膨らませる給気手段（６）と、バルーン内に内蔵される電球（７）を備えたバルーン型照明器具（４）であり、
前記バルーンが筒状の胴部（５ａ）を有する太鼓型又は円錐台形型又は逆円錐台形型のいずれかの形状で、該バルーンを膨らませた際に前記胴部に皺が生じないよう形成されている投光機であって、
前記バルーンが、上下を開口する円筒状の胴部形成用シート材（5-1）と、該胴部形成用シート材の上下開口を塞ぐよう胴部形成用シート材に対して縫着される上面側と下面側の円形シート材（5-2，5-3）からなり、該バルーンの胴部（５ａ）に文字又は図形が、印刷，貼り付け，着色のいずれかの手段で表示（１３）可能に形成されていることを特徴とする投光機。
【請求項２】
前記バルーン（５）内に、前記電球の周囲を囲む枠体（８）をさらに備え、該枠体は、その上端部を前記バルーン上面（５ｂ）の中心部に、下端部を前記バルーン下面（５ｃ）の中心部に、それぞれ着脱自在に固定して前記バルーンの内部中心位置に立ち上がるよう配置され、
且つ前記枠体の上端部に対する前記バルーン上面中心部の固定手段を、バルーン外側からの操作で枠体上端部に係脱自在に係合する係合手段（５０）で形成すると共に、前記枠体下端部に対する前記バルーン下面中心部の固定手段を、バルーン外側からの操作で開閉するファスナー式連結手段（６０）で形成して、
前記枠体（８）に対し前記バルーン（５）を交換自在に装着したことを特徴とする請求項１記載の投光機。
【請求項３】
前記バルーン（５）内に、前記電球の周囲を囲む枠体（８）をさらに備え、該枠体は、前記バルーン上面の中心部に着脱自在に固定される上端板（２１）と、前記バルーン下面の中心部に着脱自在に固定される下端板（２２）と、それら上下両板間にわたって立ち上がる複数本のパイプ状支柱（２３）と、隣接するパイプ状支柱間に着脱自在に装着される金網状の保護枠（４０）からなることを特徴とする請求項１記載の投光機。
【請求項４】
前記バルーン型照明器具（４）と、電球の光を反射板により前方へ向けて投光する照明器具（７０）とを、選択的に装備し得るよう形成したことを特徴とする請求項１〜３のいずれかに記載の投光機。
【請求項５】
前記バルーンの外側又は内側に、該バルーンからの投光範囲を任意に選択して設定することができる遮光手段を備えたことを特徴とする請求項１〜４のいずれかに記載の投光機。
【発明の詳細な説明】
【０００１】
【発明の属する技術分野】
本発明は、道路工事やスポーツ施設などの夜間照明として使用される投光機に関し、詳しくは、給気手段により膨らませたバルーン内に電球を内蔵したバルーン型照明器具を装備してなる投光機に関する。
【０００２】
【従来の技術】
従来、道路工事やスポーツ施設などの夜間照明として使用される投光機として、発電機を搭載する台車に伸縮支柱を立設し、該伸縮支柱の上端に、電球の光を反射板により前方を向けて投光する照明器具を装備したものが知られている。
ところで、この種投光機からの投光は明るい方が好ましいことは言うまでもないが、道路工事等においてはその投光が通行車両の運転者に対し邪魔になる場合があり、特に高速道路等での使用に際し改善の要求がある。
【０００３】
このような問題点を解消するために、本願出願人は、発電機を搭載する台車に伸縮支柱を立設し、該伸縮支柱の上端に、給気手段により膨らませたバルーン内に電球を内蔵したバルーン型照明器具を装備してなる新規な投光機を提案し、先に出願した（特願２００１‐１５０９１１号参照）。
該先願のバルーン型投光機は、バルーン内の電球の光がバルーンを通して外部に間接的に照射されることで眩しさを和らげ、道路工事等においてその投光が通行車両の運転者に対し邪魔になるような虞れないという利点を奏するものである。
【０００４】
【発明が解決しようとする課題】
処で、前述した先願のバルーン型投光機の技術内容をより詳細に検討した場合、以下の点に改良の余地を残していた。
すなわち、この種バルーン型投光機は、バルーン周面に何も表示されていない形態においては、前述したような照明器具としての機能しか発揮しないが、バルーンの周面に「工事中」「注意」などの文字を印刷などにより表示して通行車両の運転手に注意を促すことが考えられる。しかしながら、従来のバルーン型投光機においては、バルーンの上半分を形成する上側円形シート材と、バルーンの下半分を形成する下側円形シート材とを相互に縫着してバルーンを構成しているので、バルーンを膨らませた際にバルーン周面に所々皺が生じ、バルーン周面に表示した文字が読み取れなくなる虞れがある。
これを解消するために、バルーン周面を経線方向に分割した複数枚の分割シート材からなる略地球儀型に形成して皺が生じないよう構成することも考えられるが、この場合、隣り合せる分割シート材を相互に縫着しなければならず、バルーン製作に手間とコストがかかるという不具合が生じる。
【０００５】
又、バルーンは通常、投光性を有する合成樹脂シートで形成されるが、屋外での使用による劣化や電球からの発熱による劣化等の為に、所定期間毎に交換する必要が生じるが、先願のバルーン型投光機は、電球の周囲を囲んでバルーンと電球の接触を防止する枠体の上下端部において、それぞれ上下の円形板でバルーンの上面中心部、下面中心部を挟み、且つ上下の円形板はボルト・ナットで相互に固定される構成を採用しており、バルーンの交換に手間がかかるという不具合があった。
【０００６】
又、先願のバルーン型投光機では、上記枠体が金網状の枠体からなり、長期の使用や強風条件下での使用に強度上の問題点を残していた。
さらに先願のバルーン型投光機は、バルーン型照明器具の専用機として構成されており、発電機を搭載する台車に伸縮支柱を立設し、該伸縮支柱の上端に、電球の光を反射板により前方を向けて投光する照明器具を装備した従来型投光機の所有者は、バルーン型投光機を別途購入しなけらばならず、発電機、台車、伸縮支柱を２セットづつ所有することになる。
【０００７】
本発明はこの様な事情に鑑み、道路工事等においてその投光が通行車両の運転者に対し邪魔になるような虞れないバルーン型の投光機における上述した従来の不具合を解消し、使い勝手が良く商品価値の高い新規なバルーン型投光機を提供することを目的とする。
【０００８】
【課題を達成するための手段】
以上の目的を達成するために本発明に係る投光機は、発電機を搭載する台車に伸縮支柱を立設すると共に、該伸縮支柱の上端に照明器具を装備してなり、前記照明器具が、バルーンと、該バルーン内に空気を送ってバルーンを膨らませる給気手段と、バルーン内に内蔵される電球を備えてなり、前記バルーンが筒状の胴部を有する形状、例えば略太鼓型、略円錐台形型、逆円錐台形型などに形成され、バルーンを膨らませた際に前記胴部に皺が生じないよう形成されていることを特徴とする。
このような構成によれば、バルーンを膨らませた際に胴部に皺が生じない為、バルーン胴部の外周面に「工事中」「注意」などの文字を印刷などにより表示した場合は、通行車両の運転手に注意を促すことが出来る。これら文字などを表示しない場合は、照明器具としての機能のみを発揮する。
【０００９】
上記バルーンの胴部に表示するのは、文字、図形等が可能であり、またその表示方法は、印刷、貼り付け、着色等の各種手段が考えられる。
【００１０】
上記バルーンは、上下を開口する円筒状の胴部形成用シート材と、該胴部形成用シート材の上下開口を塞ぐよう胴部形成用シート材に対して縫着される上面側と下面側の円形シート材からなる構成とすることで、バルーン製作の手間、コスト等を低減することができる。
【００１１】
また本発明に係る投光機は、発電機を搭載する台車に伸縮支柱を立設し、該伸縮支柱の上端に照明器具を装備すると共に、該照明器具が、バルーンと、該バルーン内に空気を送ってバルーンを膨らませる給気手段と、バルーン内に内蔵される電球と、該電球の周囲を囲む枠体から形成され、上記枠体は、その上端部をバルーン上面の中心部に、下端部をバルーン下面の中心部に、それぞれ着脱自在に固定してバルーンの内部中心位置に立ち上がるよう配置され、
且つ枠体上端部に対するバルーン上面中心部の固定手段を、バルーン外側からの操作で枠体上端部に係脱自在に係合する係合手段で形成すると共に、枠体下端部に対するバルーン下面中心部の固定手段を、バルーン外側からの操作で開閉するファスナー式連結手段で形成して、
枠体に対しバルーンを交換自在に装着したことを特徴とする。
【００１２】
このような構成によれば、バルーン上面側において係合手段を係脱操作すると共に、バルーン下面側においてファスナーを開閉操作することで、枠体に対するバルーンの着脱を容易に行うことができる。
【００１３】
また上記枠体を、バルーン上面の中心部に着脱自在に固定される上端板と、バルーン下面の中心部に着脱自在に固定される下端板と、それら上下両板間にわたって立ち上がる複数本のパイプ状支柱と、隣接するパイプ状支柱間に着脱自在に装着される金網状の保護枠からなる構成とした場合、金網状の枠体と比較した場合の強度が大幅に向上し、悪天下や長期の使用にも耐えうる構造とし得る。
【００１４】
また、給気手段により膨らませたバルーン内に電球を内蔵したバルーン型照明器具と、電球の光を反射板により前方を向けて投光する照明器具とを選択的に装備し得るよう形成した場合、何れか一方の照明器具を選択して伸縮支柱に装備することで、使用目的や使用場所に応じた適宜な投光を得ることができる。
【００１５】
また、バルーンの外側又は内側に、バルーンからの投光範囲を任意に選択して設定することができる遮光手段を備えた場合、バルーンからの投光範囲を任意に設定することが出来、例えば道路端に投光機を設置した場合、裏側に位置する民家等への投光を遮断することができる。
【００１６】
【発明の実施の形態】
以下、実施形態の一例を図面に基づいて説明する。
本例の投光機は図１に示すように、発電機３を搭載する台車１に伸縮支柱２を立設し、該伸縮支柱２の上端にバルーン型の照明器具４を装備してなり、該照明器具４は、バルーン５と、該バルーン５内に空気を送ってバルーン５を膨らませる給気手段としての送風装置６と、バルーン５内に内蔵される電球７と、電球７を保護する枠体８などを備えてなり、電球７からの発光を、バルーン５を通過させることにより眩しさを和らげ優しい光に変化して照射し得るよう構成されている。
【００１７】
台車１は、車体ベース1-1の前後左右に車輪1-2を回動自在に軸承したもので、車輪付き発電機３を係脱可能に搭載し得るように形成されている。台車１の後部に伸縮支柱２が立設されている。尚、発電機３については車輪を持たず、台車１上に着脱可能又は固定的に搭載するも勿論良く、特に限定されるものではない。
【００１８】
伸縮支柱２は、台車１の後部上面に基管柱2-1を立上げ、その基管柱2-1内に、該基管柱2-1に対して遂次内径を小さくした少なくとも一つの中管柱、図示例では二本の中管柱2-2，2-3を順次上下摺動可能に遊嵌し、これら中管柱2-2，2-3を任意な昇降手段によって順次上下摺動させることによって、照明器具４の高さを適宜に変更且つ設定し得るよう形成されている。
【００１９】
中間柱2-3の上端にはジョイント部材９を介して接続支柱１０の下端部が着脱自在に連結されており、その接続支柱１０の上端に設置した照明器具４を、伸縮支柱２に対して着脱自在に装備し得るよう構成されている。
ジョイント部材９は図示を省略しているが、照明器具４に給電するための給電ケーブル１１のコネクター１１ａを差込み接続するコネクターを備えている。またそのコネクターはケーブル１２を介して発電機３に連絡し、発電機３から供給される電力を照明器具４の送風装置６、電球７等に供給するよう構成されている。
【００２０】
伸縮支柱２の各中管柱2-2，2-3を上下摺動させる昇降手段は、特に限定されないが、例えば適宜数の滑車とワイヤー及びウインチを備える昇降手段に加え、ガスダンパーを基管柱2-1内に組み込んみ該ガスダンパーの反撥力を利用して、夫々の中管柱2-2，2-3の昇降操作を片手で行い得るようにした公知の構造のものが好ましく採用することができる。
【００２１】
照明器具４は前述したように、バルーン５、送風装置６、電球７、枠体８などから構成されている。
バルーン５は、図２に示すように、上下を開口する円筒状の胴部形成用シート材5-1と、該胴部形成用シート材5-1の上下開口を塞ぐよう胴部形成用シート材5-1に対して縫着される上面側と下面側の円形シート材5-2，5-3からなり、胴部形成用シート材5-1の上下開口縁に沿って上下の円形シート材5-2，5-3の外周縁を縫着することで、図３に示すような筒状の胴部５ａと上下面部５ｂ，５ｃで囲まれる略太鼓型に形成されている。これによりバルーン５は、送風装置６の作動で膨らんだ際に胴部５ａに皺が生じない構成となり、胴部５ａ外周に「工事中」「注意」などの表示１３を印刷した場合、該表示１３が皺で読めなくなるような虞れが無く、通行車両の運転手に注意を促すことができる。このような表示１３をしない場合は、照明器具としてのみ機能することは言うまでもない。
上記各シート材5-1,5-2,5-3は、所望の投光性、耐候性、強度を有する合成樹脂製のシート材、例えばナイロン66等からなるもので、横長矩形状のシートの長手方向縁部同士を縫着して胴部形成用シート材5-1とすると共に、各シート材5-1,5-2,5-3を前述の如く相互に縫着することで略太鼓型のバルーン５を構成する。すなわちバルーン５は、３箇所の縫着作業で作製可能であり、多数の箇所を縫着する必要がある略地球儀型のバルーンに比べ、簡単且つ低コストで作製可能である。
尚、図示しないが、バルーン５の他例として、略円錐台形のもの、逆円錐台形のものなども、本発明の好ましい態様として例示することができ、この場合は、胴部形成用シート材5-1を円錐台形の周面を展開した形状とし、円形シート材5-2，5-3を円錐台形の上面と底面を構成する形状とすることは言うまでもない。
【００２２】
枠体８は、バルーン５内の中心部に電球７を支持すると共に、該電球７の周囲を囲んでバルーン５と電球７との接触を防ぐ為のもので、図４、図５に示すように、上端板２１をバルーン上面部５ｂの中心部に、下端板２２をバルーン下面部５ｃの中心部に、それぞれ着脱自在に固定すると共に、それら上下両板２１、２２間にわたって複数本のパイプ状支柱２３を立ち上げて、バルーン５の内部中心位置に立ち上がるよう配置されている。詳しくは、下端板２２の下面側中心部には前述した接続支柱１０の上端部が連結されており、接続支柱１０の上端に枠体８が設置され、この枠体８にバルーン５、送風装置６、電球７等が装備されている。
【００２３】
枠体８についてさらに説明すれば、下端板２２の上方には下部支持板２４が設けられ、この支持板２４上に、送風装置６と温度センサー２５が設置されている。また下端板２２と下部支持板２４には、送風装置６に空気を供給するための空気孔２６，２７が適宜複数箇所に開設されている。２８は下端板２２の空気孔２６と下部支持板２４の空気孔２７を連通させるための筒部材である。
【００２４】
送風装置６はバルーン５を所定の形状（本例では略太鼓型）に膨らませるためにバルーン５内に空気を供給するもので、本例では、バルーン５内に収納状に設置されるファンモータからなる。温度センサー２５は、例えば電球７が点灯したままでバルーン５が何らかの事情で萎み、バルーン５内の温度が規定値以上に上昇した場合に、これを異常発生として検出して電球７を消灯させるサーモスタットからなる。
上端板２１の下方には上部支持板２９が設けられ、この支持板２９の下面に、電球７を装着するためのソケット３０とソケットカバー３１が設置されている。
３２は、ソケット３０に装着されて下向きに保持された電球７の先端部（下端部）を支持する電球保持体である。
【００２５】
電球保持体３２は図６に示すように、それぞれのパイプ状支柱２３に外端側を上下摺動可能に挿入した板状バネからなる各保持片３３の内端側を、枠体８の中心部付近で重ね合せ、且つその先端を上方へ立ち上げて電球先端部７ａが遊嵌する保持凹部３４を形成してなる。またそれぞれの保持片３３には、保持片３３の外端付近から側方へ延びて先端を保護枠４０の所定箇所に係脱自在に引っ掛けることで電球保持体３２を適宜高さ位置に固定する係止杆３５が設けられている。
【００２６】
保護枠４０は図５、図６に示すように、円弧状に湾曲する横方向の線材４１と縦方向の線材４２とを組み合せてなる金網状の枠材で、横方向の線材４１の左右両端部分を内側へ湾曲させてパイプ状支柱２３に対し弾性により係脱自在に係合する引掛け部４３を形成し、隣り合せるパイプ状支柱２３，２３間に亘って着脱自在に装着し得るよう形成されている。
【００２７】
図４〜図１０に示すように、枠体８の上端板２１には、バルーン上面部５ｂの中心部分が、バルーン５外側からの操作で上端板２１に係脱自在に係合する係合手段５０で固定されており、また枠体８の下端板２２には、バルーン下面部５ｃの中心部分が、バルーン５外側からの操作で開閉するファスナー式連結手段６０で連結されている。
【００２８】
係合手段５０は、バルーン５の外側で上端板２１と重なって上端板２１と共にバルーン上面部５ｂの中心部分を挟持する外側板５１と、この外側板５１の適宜複数箇所に回転可能に装着されたワンタッチ式の係合凸部材５２と、それぞれの係合凸部材５２の先端係合部５２ａが、該係合凸部材５２の一方向への回転で係合し、他方向への回転でその係合が外れるよう上端板２１の適宜複数箇所に形成された係合凹部５３と、各係合凸部材５２の先端係合部が対応する係合凹部５３に挿入されるようバルーン上面部５ｂに開設した通孔５４から構成されている。そうして、上端板２１に重なるようバルーン上面部５ｂの中心部分外側に外側板５１をセットすると共に、各係合凸部材５２の先端係合部５２ａを通孔５４を通して上端板２１の係合凹部５３に挿入した後、各係合凸部材５２を一方向へ回転させて先端係合部５２ａと係合凹部５３を係合させ、これにより上端板２１と外側板５１が重合状に連結固定されるをもって、バルーン上面部５ｂが枠体８の上端板２１に固定される。
この状態から、各係合凸部材５２を他方向へ回転させて先端係合部５２ａと係合凹部５３の係合を解除し、これにより上端板２１と外側板５１が離間可能になって、バルーン上面部５ｂが枠体８に対し取り外し可能となる。
【００２９】
ファスナー式連結手段６０は、枠体８の下端板２２の外周縁に沿って、バルーン下面部５ｃを形成するシート材5-3と同質材のシート材からなるシート縁部６１を形成し、そのシート縁部６１の外周に沿ってファスナーの一側の歯部列６２を形成する一方、バルーン下面部５ｃの中心部分には、前記シート縁部６１と合致する開口を設けると共に、その開口縁に沿ってファスナーの他側の歯部列６３を形成し、何れか一方の歯部列に開閉金具６４を設け、この開閉金具６４の摺動により両歯部列が開閉するよう構成されている。
そうして、両歯部列６２，６３が閉じた状態でシート縁部６１とバルーン下面部５ｃが連結するをもって、バルーン下面部５ｃが枠体８の下端板２２に固定される。またこの状態から、開閉金具６４を開方向へ摺動させて両歯部列６２，６３を開くと、シート縁部６１とバルーン下面部５ｃが離間し、バルーン下面部５ｃが枠体８に対し取り外し可能となる。
【００３０】
図１１では、上述したバルーン型の照明器具４と、電球７１の光を反射板により前方を向けて投光する従来型投光機の照明器具７０とを選択的に装備し得るようにした例を示す。
すなわちこの投光機は、バルーン型照明器具４と従来型照明器具７０において、前述したジョイント部材９、接続支柱１０、給電ケーブル１１、ケーブル１２等を共通化すると共に、伸縮支柱２の上端にはそれら照明器具４，７０の各々の接続支柱１０が挿入される挿入部１０ａを設け、それぞれの照明器具４，７０を伸縮支柱２の上端に各々着脱自在に装着し得るようにし、使用目的や使用場所に合わせて適宜な照明器具を選択し得るようになっている。
【００３１】
図１２〜図１５では、バルーン型照明器具４における電球７の数を変更可能にした例を示し、図１２，１３は前述の例で説明した一灯式の場合、図１４，１５は四灯式に変更した場合を表す。
すなわちこの例においては、枠体８の上部支持板２０の下面側に設けたソケットカバー３１内に、ソケット３０を、中央の一箇所と、周囲の四箇所とに選択的に設置し得るようになっており、一灯式の場合は図１３に示すように、ソケットカバー３１内の中央一箇所にソケット３０を設け、四灯式の場合は図１５に示すように、ソケットカバー３１内の周囲四箇所にソケット３０を設けるようになっている。
【００３２】
また図示は省略するが、上述した各例において、本願出願人による先願（特願２００１−１５０９１１号）で開示されるような遮蔽幕、遮蔽布、遮蔽板、ルーバーやその他の遮光手段を、バルーン５の外側又は内側に装備して、バルーン５からの投光範囲を任意に選択して設定することができるようにすると好ましい。
【００３３】
以上、本発明に係る投光機の実施形態の数例を図面を参照して説明したが、本発明はこれらの例に限定されるものではなく、各請求項に記載された技術的思想の範疇において各種変更が可能であることは言うまでもない。
【００３４】
【発明の効果】
本発明に係る投光機は以上説明したように構成したので、以下の効果を奏する。
（請求項１）
膨らませた際に胴部に皺が生じない構造のバルーンを採用したので、バルーン胴部の外周に「工事中」「注意」などの文字を印刷などにより表示することで、通行車両の運転手に注意を促すことが出来る等の効果がある。また、上記したバルーンを、円筒状の胴部形成用シート材と、上面側と下面側の円形シート材からなる三枚のシート材を相互に縫着して形成するものとしたので、バルーン製作の手間、コスト等を低減することができる。
【００３６】
（請求項２）
バルーン上面側において係合手段を係脱操作すると共に、バルーン下面側においてファスナーを開閉操作することで、枠体に対するバルーンの着脱を容易に行い得る構成としたので、長期の使用等に伴いバルーンが劣化した場合の交換を簡単に行うことができる等の効果がある。
【００３７】
（請求項３）
パイプ状支柱で支持される枠体構造としたので、金網状の枠体と比較した場合の強度が大幅に向上し、悪天下や長期の使用にも耐え得るなどの効果がある。
【００３８】
（請求項４）
バルーン型照明器具と、従来型照明器具とを選択的に装備することが出来るので、使用目的や使用場所に応じた適宜な投光を得ることができる。
【００３９】
（請求項５）
バルーンからの投光範囲を必要最小限に限定することが出来るので、例えば夜間道路工事の際の周辺住民や通行車両の運転手に対し充分考慮した投光に設定できる等の効果がある。
【図面の簡単な説明】
【図１】本発明に係る投光機の実施形態の一例を示す斜視図。
【図２】バルーンの分解斜視図。
【図３】文字を表示した場合のバルーンの正面図。
【図４】バルーン内部に設置された枠体，電球等の拡大正面図。
【図５】枠体の分解斜視図。
【図６】枠体下部の斜視図。
【図７】バルーン上面側の中心部分の拡大斜視図。
【図８】バルーン下面側の中心部分の拡大斜視図。
【図９】バルーンの取り付け途中状態を示す斜視図。
【図１０】バルーンの取り付け完了状態を示す斜視図。
【図１１】バルーン型照明器具と従来型照明器具を交換自在にした例の模式図。
【図１２】一灯式バルーンにおける枠体と電球の分解斜視図。
【図１３】図12におけるソケットカバーの底面図。
【図１４】四灯式バルーンにおける枠体と電球の分解斜視図。
【図１５】図14におけるソケットカバーの底面図。
【符号の説明】
１：台車
２：伸縮支柱
３：発電機
４：バルーン型照明器具
５：バルーン
５ａ：バルーン胴部
５ｂ：バルーン上面部
５ｃ：バルーン下面部
5-1：胴部形成用シート材
5-2,5-3：円形シート材
６：送風装置（給気手段）
７：電球
８：枠体
１３：表示
２１：上端板
２２：下端板
２３：パイプ状支柱
４０：保護枠
５０：係合手段
６０：ファスナー式連結手段
７０：従来型の照明器具
【図１】
0003902923.tif 000002
【図２】
0003902923.tif 000003
【図３】
0003902923.tif 000004
【図４】
0003902923.tif 000005
【図５】
0003902923.tif 000006
【図６】
0003902923.tif 000007
【図７】
0003902923.tif 000008
【図８】
0003902923.tif 000009
【図９】
0003902923.tif 000010
【図１０】
0003902923.tif 000011
【図１１】
0003902923.tif 000012
【図１２】
0003902923.tif 000013
【図１３】
0003902923.tif 000014
【図１４】
0003902923.tif 000015
【図１５】
0003902923.tif 000016